(57)【要約】【課題】タイヤの乗心地性能を維持しつつタイヤの騒音性能を向上できる空気入りタイヤを提供すること。【解決手段】この空気入りタイヤ１は、一対のビードコア２、２と、これらのビードコア２、２間にトロイダル状に架け渡されて配置されるカーカス層４と、カーカス層４のタイヤ径方向外側に配置されるベルト層５とを有する。また、この空気入りタイヤ１では、カーカス層４がビードコア２を包み込みつつ巻き上げられている。また、カーカス層４の最大幅位置からベルト層５の端部までの領域Ａにて、カーカス層４の巻き上げ部４３が折り返されて折り返し部４１が形成されている。【選択図】        図１
2008132946.tif 000002
【特許請求の範囲】
【請求項１】
一対のビードコアと、これらのビードコア間にトロイダル状に架け渡されて配置されるカーカス層と、前記カーカス層のタイヤ径方向外側に配置されるベルト層とを有すると共に、前記カーカス層が前記ビードコアを包み込みつつ巻き上げられている空気入りタイヤであって、
前記カーカス層の最大幅位置から前記ベルト層の端部までの領域Ａにて、前記カーカス層の巻き上げ部が折り返されていることを特徴とする空気入りタイヤ。
【請求項２】
前記カーカス層の折り返し部が前記カーカス層の巻き上げ部に対してカーカスコードの繊維方向を交差させて折り返される請求項１に記載の空気入りタイヤ。
【請求項３】
前記カーカス層の折り返し部と巻き上げ部とのカーカスコードの交差角度θがθ≧３０［ｄｅｇ］の範囲にある請求項１または２に記載の空気入りタイヤ。
【請求項４】
前記カーカス層の折り返し部と巻き上げ部とのカーカスコードの交差角度θがセリアル側と反セリアル側とで相異することにより、セリアル側と反セリアル側とのタイヤの剛性差が調整される請求項２または３に記載の空気入りタイヤ。
【請求項５】
前記カーカス層の折り返し部がタイヤの内側に折り返されている請求項１〜４のいずれか一つに記載の空気入りタイヤ。
【請求項６】
車両装着時にて車幅方向外側に位置する前記カーカス層の折り返し部がタイヤの内側に折り返されている請求項５に記載の空気入りタイヤ。
【請求項７】
前記カーカス層の折り返し部がタイヤの外側に折り返されている請求項１〜４のいずれか一つに記載の空気入りタイヤ。
【請求項８】
前記カーカス層が単一のカーカスプライから成る単層構造を有する請求項１〜７のいずれか一つに記載の空気入りタイヤ。
【請求項９】
前記カーカス層が積層された複数枚のカーカスプライから成る多層構造を有すると共に、少なくとも一枚の前記カーカスプライが折り返されて前記カーカス層の折り返し部が形成される請求項１〜７のいずれか一つに記載の空気入りタイヤ。
【請求項１０】
前記カーカス層の折り返し部の折り返し幅がセリアル側と反セリアル側とで相異することにより、セリアル側と反セリアル側とのタイヤの剛性差が調整される請求項１〜９のいずれか一つに記載の空気入りタイヤ。
【請求項１１】
前記カーカス層の折り返し部の幅ｌと領域Ａの幅ｌAとがｌ／ｌA≧０．１０の関係を有する請求項１〜１０のいずれか一つに記載の空気入りタイヤ。
【発明の詳細な説明】
【技術分野】
【０００１】
この発明は、空気入りタイヤに関し、さらに詳しくは、タイヤの乗心地性能を維持しつつタイヤの騒音性能を向上できる空気入りタイヤに関する。
【背景技術】
【０００２】
空気入りタイヤでは、中周波数帯域（２５０［Ｈｚ］〜４００［Ｈｚ］）のロードノイズを低減して、タイヤの騒音性能を向上させるべき課題がある。また、同時に、タイヤの乗心地性能も維持されることが好ましい。
【０００３】
タイヤの騒音性能に関する従来の空気入りタイヤには、特許文献１に記載される技術が知られている。従来の空気入りタイヤは、左右一対の環状ビード部と、両ビード部をトロイド状に延びる繊維コードプライから成るラジアルカーカスと、該カーカスのクラウン部に位置するトレッド部と、上記カーカスとトレッド間に非伸長性コードをタイヤの赤道面に対して浅い角度で傾斜配列して層の少なくとも２枚を、それらコードが互いに交差するように重ね合わせたベルト層を含み、また上記カーカスプライの両端部を各ビード部に埋没したビードリングの周りを軸方向外向きに夫々巻き上げてベルト層側部と重なる位置まで延長して、このベルト層側部とカーカスとで挟持したタイヤにおいて、上記ベルト層側部とカーカスプライ端部の間にタイヤの赤道面に対しベルト層の補強コードの傾斜角度より小さい角度で配列したゴム引きコードの少なくとも１枚のベルト補助層を介在させたことを特徴とする。
【０００４】
【特許文献１】特開平５−２３８２０８号公報
【発明の開示】
【発明が解決しようとする課題】
【０００５】
この発明は、タイヤの乗心地性能を維持しつつタイヤの騒音性能を向上できる空気入りタイヤを提供することを目的とする。
【課題を解決するための手段】
【０００６】
上記目的を達成するため、この発明にかかる空気入りタイヤは、一対のビードコアと、これらのビードコア間にトロイダル状に架け渡されて配置されるカーカス層と、前記カーカス層のタイヤ径方向外側に配置されるベルト層とを有すると共に、前記カーカス層が前記ビードコアを包み込みつつ巻き上げられている空気入りタイヤであって、前記カーカス層の最大幅位置から前記ベルト層の端部までの領域Ａにて、前記カーカス層の巻き上げ部が折り返されていることを特徴とする。
【０００７】
この空気入りタイヤでは、振動モードの腹となるバットレス部（領域Ａ）にカーカス層が折り返し部を有することにより、この領域Ａにおけるカーカス層（巻き上げ部）の剛性が増加する。これにより、領域Ａにおけるタイヤの変形が抑制されるので、中周波数帯域のロードノイズが低減されてタイヤの騒音性能が向上する利点がある。また、折り返し部によりタイヤのバットレス部が補強されるので、ベルト層の端部とカーカス層との間に配置されたベルト補強層によりバットレス部が補強される構成と比較して、タイヤの乗心地性能が維持される利点がある。
【０００８】
また、この発明にかかる空気入りタイヤでは、前記カーカス層の折り返し部が前記カーカス層の巻き上げ部に対してカーカスコードの繊維方向を交差させて折り返される。
【０００９】
この空気入りタイヤでは、カーカス層の折り返し部と巻き上げ部とがカーカスコードの繊維方向を交差させることにより、カーカス層の領域Ａにバイアス構造が形成される。これにより、領域Ａの剛性が増加するので、領域Ａにおけるタイヤの変形が抑制されて中周波数帯域のロードノイズが低減される利点がある。
【００１０】
また、この発明にかかる空気入りタイヤでは、前記カーカス層の折り返し部と巻き上げ部とのカーカスコードの交差角度θがθ≧３０［ｄｅｇ］の範囲にある。
【００１１】
この空気入りタイヤでは、カーカスコードの交差角度θが適正化されるので、領域Ａにおけるタイヤの変形が効果的に抑制されて、中周波数帯域のロードノイズが効果的に低減される利点がある。
【００１２】
また、この発明にかかる空気入りタイヤでは、前記カーカス層の折り返し部と巻き上げ部とのカーカスコードの交差角度θがセリアル側と反セリアル側とで相異することにより、セリアル側と反セリアル側とのタイヤの剛性差が調整される。
【００１３】
この空気入りタイヤでは、例えば、非対称パターンのデザインや非対称プロファイルが採用されるときに、タイヤ全体の剛性が適正化される利点がある。
【００１４】
また、この発明にかかる空気入りタイヤでは、前記カーカス層の折り返し部がタイヤの内側に折り返されている。
【００１５】
この空気入りタイヤでは、カーカス層の端部がカーカス層の本体部と巻き上げ部との間に折り込まれるので、カーカス層の端部の剥離（セパレーション）が抑制される。これにより、タイヤの耐久性能が向上する利点がある。
【００１６】
また、この発明にかかる空気入りタイヤでは、車両装着時にて車幅方向外側に位置する前記カーカス層の折り返し部がタイヤの内側に折り返されている。
【００１７】
この空気入りタイヤでは、車幅方向外側にあるカーカス層の端部がカーカス層の本体部と巻き上げ部との間に折り込まれる。したがって、縁石などと接触し易い車幅方向外側のサイドウォール部におけるカーカス層の端部の剥離が抑制されるので、タイヤの耐久性能が向上する利点がある。
【００１８】
また、この発明にかかる空気入りタイヤでは、前記カーカス層の折り返し部がタイヤの外側に折り返されている。
【００１９】
この空気入りタイヤでは、折り返し部がタイヤの内側に折り返されている構成と比較して、カーカス層の本体部と巻き上げ部との間に空気が入り難い。これにより、空気の入り込みによるタイヤの製造故障が低減されるので、タイヤの生産性が向上する利点がある。
【００２０】
また、この発明にかかる空気入りタイヤでは、前記カーカス層が単一のカーカスプライから成る単層構造を有する。
【００２１】
この空気入りタイヤでは、カーカス層が多層構造を有する構成と比較して、タイヤが軽量化される利点がある。
【００２２】
また、この発明にかかる空気入りタイヤでは、前記カーカス層が積層された複数枚のカーカスプライから成る多層構造を有すると共に、少なくとも一枚の前記カーカスプライが折り返されて前記カーカス層の折り返し部が形成される。
【００２３】
この空気入りタイヤでは、カーカス層の二層構造によりタイヤ全体の剛性が増加するので、例えば、タイヤの荷重あるいは空気圧が高く設定されているときに、タイヤに必要な剛性が確保される利点がある。
【００２４】
また、この発明にかかる空気入りタイヤでは、前記カーカス層の折り返し部の折り返し幅がセリアル側と反セリアル側とで相異することにより、セリアル側と反セリアル側とのタイヤの剛性差が調整される。
【００２５】
この空気入りタイヤでは、例えば、非対称パターンのデザインや非対称プロファイルが採用されるときに、タイヤ全体の剛性が適正化される利点がある。
【００２６】
また、この発明にかかる空気入りタイヤでは、前記カーカス層の折り返し部の幅ｌと領域Ａの幅ｌAとがｌ／ｌA≧０．１０の関係を有する。
【００２７】
この空気入りタイヤでは、折り返し部の幅ｌと領域Ａの幅ｌAとの比ｌ／ｌAが所定の範囲に設定されることにより、折り返し部による領域Ａの補強範囲が適正化される。これにより、領域Ａにおけるタイヤの変形が抑制されるので、中周波数帯域のロードノイズが低減されてタイヤの騒音性能が向上する利点がある。
【発明の効果】
【００２８】
この発明にかかる空気入りタイヤでは、振動モードの腹となるバットレス部（領域Ａ）にカーカス層が折り返し部を有することにより、この領域Ａにおけるカーカス層（巻き上げ部）の剛性が増加する。これにより、領域Ａにおけるタイヤの変形が抑制されるので、中周波数帯域のロードノイズが低減されてタイヤの騒音性能が向上する利点がある。また、折り返し部によりタイヤのバットレス部が補強されるので、ベルト層の端部とカーカス層との間に配置されたベルト補強層によりバットレス部が補強される構成と比較して、タイヤの乗心地性能が維持される利点がある。
【発明を実施するための最良の形態】
【００２９】
以下、この発明につき図面を参照しつつ詳細に説明する。なお、この実施例によりこの発明が限定されるものではない。また、この実施例の構成要素には、当業者が置換可能かつ容易なもの、或いは実質的同一のものが含まれる。また、この実施例に記載された複数の変形例は、当業者自明の範囲内にて任意に組み合わせが可能である。
【実施例】
【００３０】
図１は、この発明の実施例にかかる空気入りタイヤを示すタイヤ子午線方向の断面図である。図２および図３は、図１に記載した空気入りタイヤのカーカス層の折り返し部を示す説明図である。図４〜図７は、図１に記載した空気入りタイヤの変形例を示す説明図である。図８は、この発明の実施例にかかる空気入りタイヤの性能試験の結果を示す試験結果図表である。
【００３１】
［空気入りタイヤ］
この空気入りタイヤ１は、ビードコア２と、ビードフィラー３と、カーカス層４と、ベルト層５と、トレッドゴム６と、サイドウォールゴム７とを含んで構成される（図１参照）。ビードコア２は、環状構造を有し、左右一対を一組として構成される。ビードフィラー３は、ビードコア２のタイヤ径方向外周に配置されてタイヤのビード部を補強する。カーカス層４は、左右のビードコア２、２間にトロイダル状に架け渡されてタイヤの骨格を構成する。このカーカス層４は、複数のカーカスコードがカレンダー状に配列されて構成される。ベルト層５は、積層された複数のベルト材から成り、カーカス層４のタイヤ径方向外周に配置される。トレッドゴム６は、カーカス層４およびベルト層５のタイヤ径方向外周に配置されてタイヤのトレッド部を構成する。サイドウォールゴム７は、ビードフィラー３およびカーカス層４のタイヤ幅方向外側に配置されてタイヤのサイドウォール部を構成する。
【００３２】
［カーカス層の折り返し部］
ここで、中周波数帯域（２５０［Ｈｚ］〜４００［Ｈｚ］）のロードノイズは、ベルト層の端部およびカーカス層の最大幅位置を節とすると共にバットレス部を腹とする振動モード（断面二次固有振動モード）により発生する。したがって、中周波数帯域のロードノイズを低減するためには、バットレス部の剛性を高めて振動の振幅を低減することが好ましい。
【００３３】
この点において、この空気入りタイヤ１では、カーカス層４がその両縁にてビードフィラー３を包み込むようにタイヤ幅方向外側に巻き上げられて係止されている（図１および図２参照）。また、カーカス層４の最大幅位置Ｐからベルト層５の端部までの領域Ａにて、カーカス層４の巻き上げ部４３が折り返されている（ビードコア２側に巻き戻されている）。この折り返されている部分をカーカス層４の折り返し部４１と呼ぶ。また、折り返し部４１の折り目となる位置をカーカス層４の折り返し位置４２と呼ぶ。サイドウォールゴム７は、このカーカス層４の折り返し部４１を覆って配置される。
【００３４】
なお、カーカス層４（カーカスプライ）は、例えば、ポリエステル、レーヨン等の有機繊維あるいはスチール繊維などから成るカーカスコードにより構成される。この実施例では、容易に折り曲げ可能な有機繊維製のカーカスコードによりカーカス層４が構成されている。
【００３５】
かかる構成では、振動モードの腹となるバットレス部（領域Ａ）にカーカス層４が折り返し部４１を有することにより、この領域Ａにおけるカーカス層４（巻き上げ部４３）の剛性が増加する。これにより、領域Ａにおけるタイヤの変形が抑制されるので、中周波数帯域のロードノイズが低減されてタイヤの騒音性能が向上する利点がある。また、折り返し部４１によりタイヤのバットレス部が補強されるので、ベルト層の端部とカーカス層との間に配置されたベルト補強層によりバットレス部が補強される構成（図示省略）と比較して、タイヤの乗心地性能が維持される利点がある。例えば、カーカス層４の折り返し位置４２がカーカス層４の最大幅位置Ｐよりもビード部側にある構成では、タイヤのバットレス部が補強されないためロードノイズが低減され難い。また、カーカス層４の折り返し位置４２がベルト層５の端部よりもタイヤ幅方向内側にある構成では、ベルト層の剛性が過度に増加するため、タイヤの乗心地性能が悪化する。
【００３６】
［付加的事項１］
なお、この空気入りタイヤ１では、カーカス層４の折り返し部４１がカーカス層４の巻き上げ部４３に対してカーカスコードの繊維方向を交差させて折り返されることが好ましい（図３参照）。すなわち、カーカス層４の折り返し部４１と巻き上げ部４３とがカーカスコードの繊維方向を交差させることにより、カーカス層４の領域Ａにバイアス構造が形成される。これにより、領域Ａの剛性が増加するので、領域Ａにおけるタイヤの変形が抑制されて中周波数帯域のロードノイズが低減される利点がある。
【００３７】
また、上記の構成では、カーカス層４の折り返し部４１と巻き上げ部４３とのカーカスコードの交差角度θがθ≧３０［ｄｅｇ］の範囲にあることが好ましい（図２参照）。かかる構成では、カーカスコードの交差角度θが適正化されるので、領域Ａにおけるタイヤの変形が効果的に抑制されて、中周波数帯域のロードノイズが効果的に低減される利点がある。例えば、θ＜３０［ｄｅｇ］では、カーカスコードの交差によるバイアス効果が十分に得られない。なお、交差角度θの上限は、θ≦９０［ｄｅｇ］である。
【００３８】
また、上記の構成では、カーカス層４の折り返し部４１と巻き上げ部４３とのカーカスコードの交差角度θがセリアル側と反セリアル側とで相異することにより、セリアル側と反セリアル側とのタイヤの剛性差が調整されることが好ましい（図示省略）。これにより、例えば、非対称パターンのデザインや非対称プロファイルが採用されるときに、タイヤ全体の剛性が適正化される利点がある。
【００３９】
［付加的事項２］
また、この空気入りタイヤ１では、カーカス層４の折り返し部４１がタイヤの内側に折り返されていることが好ましい（図２参照）。すなわち、カーカス層４の折り返し部４１がカーカス層４の本体部と巻き上げ部４３との間に挟み込まれるように折り返される。かかる構成では、カーカス層４の端部がカーカス層４の本体部と巻き上げ部４３との間に折り込まれるので、カーカス層４の端部の剥離（セパレーション）が抑制される。これにより、タイヤの耐久性能が向上する利点がある。
【００４０】
また、上記の構成では、車両装着時にて車幅方向外側に位置するカーカス層４の折り返し部４１がタイヤの内側に折り返されていることが好ましい。すなわち、車幅方向外側にあるカーカス層４の端部がカーカス層４の本体部と巻き上げ部４３との間に折り込まれる。したがって、縁石などと接触し易い車幅方向外側のサイドウォール部におけるカーカス層４の端部の剥離が抑制されるので、タイヤの耐久性能が向上する利点がある。
【００４１】
また、上記に限らず、カーカス層４の折り返し部４１がタイヤの外側に折り返されていても良い（図４参照）。すなわち、カーカス層４の折り返し部４１が巻き上げ部４３に対してタイヤの外側に位置するように折り返される。かかる構成では、折り返し部４１がタイヤの内側に折り返されている構成と比較して、カーカス層４の本体部と巻き上げ部４１との間に空気が入り難い。これにより、空気の入り込みによるタイヤの製造故障が低減されるので、タイヤの生産性が向上する利点がある。
【００４２】
［付加的事項３］
また、この空気入りタイヤ１では、カーカス層４が単一のカーカスプライから成る単層構造を有することが好ましい（図２参照）。すなわち、単一のカーカスプライ（カーカス層４）が折り返されて折り返し部４１が形成される。かかる構成では、カーカス層４が多層構造を有する構成と比較して、タイヤが軽量化される利点がある。
【００４３】
また、上記に限らず、カーカス層４が積層された複数枚のカーカスプライから成る多層構造を有すると共に、少なくとも一枚のカーカスプライが折り返されてカーカス層４の折り返し部４１が形成されることが好ましい（図５参照）。かかる構成では、カーカス層４の二層構造によりタイヤ全体の剛性が増加するので、例えば、タイヤの荷重あるいは空気圧が高く設定されているときに、タイヤに必要な剛性が確保される利点がある。
【００４４】
例えば、この実施例では、二枚のカーカスプライ４Ａ、４Ｂが積層されてカーカス層４が構成され、その一方のカーカスプライ４Ａの巻き上げ部４３が折り返されて折り返し部４１が形成されている（図５参照）。また、他方のカーカスプライ４Ｂは、その巻き上げ部が折り返されておらず、また、その巻き上げ部の端部をビードフィラー３の中腹付近（ビードコア２から０［ｍｍ］〜２０［ｍｍ］程度の位置）に位置させている。
【００４５】
［付加的事項４］
また、この空気入りタイヤ１では、タイヤ左右にてカーカス層４が折り返されるときに、その折り返し部４１の折り返し方向（タイヤの内側方向あるいは外側方向）がセリアル側と反セリアル側とで相異しても良い（図６参照）。例えば、この実施例では、カーカス層４の折り返し部４１がセリアル側にてタイヤの内側に折り返され、また、反セリアル側にてタイヤの外側に折り返されている（図６参照）。かかる構成では、カーカス層４がセリアル側の折り返し部４１にてタイヤの内側に折り返されているので、セリアル側におけるカーカス層４の端部の剥離（セパレーション）が効果的に抑制される。これにより、タイヤの耐久性能が向上する利点がある。
【００４６】
また、この空気入りタイヤ１では、カーカス層４の折り返し部４１の折り返し幅がセリアル側と反セリアル側とで相異することにより、セリアル側と反セリアル側とのタイヤの剛性差が調整されることが好ましい（図７参照）。これにより、例えば、非対称パターンのデザインや非対称プロファイルが採用されるときに、タイヤ全体の剛性が適正化される利点がある。
【００４７】
一般に、非対称パターンのデザインや非対称プロファイルが採用される構成では、トレッド部の構造によりセリアル側（あるいは反セリアル側）の剛性が高く設定される場合がある。そこで、このような場合に、セリアル側と反セリアル側とでカーカス層４の折り返し部４１、４１の折り返し幅が調整されて、タイヤ全体の剛性を均一化される。例えば、この実施例では、セリアル側における折り返し部４１の折り返し幅が反セリアル側における折り返し部４１の折り返し幅よりも小さく設定されている（図７参照）。かかる構成では、セリアル側（折り返し部４１の折り返し幅が大きい側）の方が反セリアル側（折り返し部４１の折り返し幅が小さい側）よりもバットレス部の剛性が低くなる。そして、かかる構成により、セリアル側と反セリアル側とのタイヤの剛性が均一化されている。
【００４８】
［付加的事項５］
また、この空気入りタイヤ１では、カーカス層４の折り返し部４１の幅ｌと領域Ａの幅ｌAとがｌ／ｌA≧０．１０の関係を有することが好ましい（図１参照）。かかる構成では、折り返し部４１の幅ｌと領域Ａの幅ｌAとの比ｌ／ｌAが所定の範囲に設定されることにより、折り返し部４１による領域Ａの補強範囲が適正化される。これにより、領域Ａにおけるタイヤの変形が抑制されるので、中周波数帯域のロードノイズが低減されてタイヤの騒音性能が向上する利点がある。また、タイヤ生産時にて、安定したタイヤ形状が得られる利点がある。なお、折り返し部４１の幅ｌおよび領域Ａの幅ｌAは、タイヤ子午線方向の断面視におけるこれらの弧長により定義される。
【００４９】
［性能試験］
この実施例では、条件が異なる複数の空気入りタイヤについて、（１）騒音性能および（２）乗心地性能に関する性能試験が行われた（図８参照）。この性能試験では、タイヤサイズ２１５／６０Ｒ１６の空気入りタイヤがリムサイズ１６×７ＪＪのリムに装着される。また、排気量２５００［ｃｃ］の２ＷＤ車である試験車両に空気入りタイヤが装着され、その前輪および後輪に２３０［ｋＰａ］の空気圧が負荷される。
【００５０】
（１）騒音性能に関する性能試験では、試験車両が一般舗装路を１００［ｋｍ／ｈ］で走行し、運転席の窓側位置に取り付けられたマイクロフォンにより中周波数帯域（２５０［Ｈｚ］〜４００［Ｈｚ］）の音圧レベルが測定される。
【００５１】
（２）乗心地性能に関する性能試験では、試験車両が一般舗装路を走行して、テストドライバーが官能評価を行う。評価は、従来例を基準（３）とした五段階評価により行われ、その数値が大きいほど好ましい。
【００５２】
従来例の空気入りタイヤでは、カーカス層の巻き上げ部が折り返されていない。一方、発明例１〜３の空気入りタイヤ１では、カーカス層４の最大幅位置Ｐからベルト層５の端部までの領域Ａにて、カーカス層４の巻き上げ部が折り返されている。また、従来例および発明例１〜３の空気入りタイヤでは、カーカス層が単一のカーカスプライから成る。また、このカーカスプライがエンド数４９［本／５０ｍｍ］にてカレンダー状に配列された複数のカーカスコードから成る。また、このカーカスコードが二本撚りされた１６７０［ｄｔｅｘ］のポリエステル繊維から成る。
【００５３】
試験結果に示すように、発明例１〜３の空気入りタイヤ１では、タイヤの乗心地性能が維持されつつタイヤの騒音性能が向上していることが分かる。また、発明例１と比較例１、２とを比較すると、カーカス層４の折り返し部４１の位置（存在範囲）が適正化されることにより、タイヤの乗心地性能が向上することが分かる。また、発明例１と発明例２とを比較すると、カーカス層４の折り返し部４１の幅ｌと領域Ａの幅ｌAとの比Ａ／ｌAが適正化されることにより、タイヤの騒音性能が向上することが分かる。また、発明例１と発明例３とを比較すると、カーカス層４の折り返し部４１と巻き上げ部４３とのカーカスコードの交差角度θが適正化されることにより、タイヤの騒音性能が向上することが分かる。
【産業上の利用可能性】
【００５４】
以上のように、本発明にかかる空気入りタイヤは、タイヤの乗心地性能を維持しつつタイヤの騒音性能を向上できる点で有用である。
【図面の簡単な説明】
【００５５】
【図１】この発明の実施例にかかる空気入りタイヤを示すタイヤ子午線方向の断面図である。
【図２】図１に記載した空気入りタイヤのカーカス層の折り返し部を示す説明図である。
【図３】図１に記載した空気入りタイヤのカーカス層の折り返し部を示す説明図である。
【図４】図１に記載した空気入りタイヤの変形例を示す説明図である。
【図５】図１に記載した空気入りタイヤの変形例を示す説明図である。
【図６】図１に記載した空気入りタイヤの変形例を示す説明図である。
【図７】図１に記載した空気入りタイヤの変形例を示す説明図である。
【図８】この発明の実施例にかかる空気入りタイヤの性能試験の結果を示す試験結果図表である。
【符号の説明】
【００５６】
１    空気入りタイヤ
２    ビードコア
３    ビードフィラー
４    カーカス層
４Ａ、４Ｂ  カーカスプライ
５    ベルト層
６    トレッドゴム
７    サイドウォールゴム
４１  折り返し部
４２  折り返し位置
４３  巻き上げ部
【図１】
2008132946.tif 000003
【図２】
2008132946.tif 000004
【図３】
2008132946.tif 000005
【図４】
2008132946.tif 000006
【図５】
2008132946.tif 000007
【図６】
2008132946.tif 000008
【図７】
2008132946.tif 000009
【図８】
2008132946.tif 000010